(57)【要約】【課題】本発明は、運転者の操舵意図に合わせて運転操作を支援できる運転支援装置および運転支援方法を提供する。【解決手段】本発明の運転支援装置ＤＳは、車両位置がゲート位置から所定の距離以内である場合であって区画線の終了を検出した場合に、前記区画線で示された車線を前記車両が走行していた際の走行方向に沿って、前記ゲート位置から前記車両位置に向かって、ゲート区間、速度制御区間および加速禁止区間を前記車両の走行領域に設定し、前記車両位置が前記加速禁止区間内である場合には前記車両の加速を禁止する第１運転支援で前記車両の走行を制御し、前記速度制御区間内である場合には前記車両の速度を制御する第２運転支援で前記車両の走行を制御し、前記車両位置が前記ゲート区間内である場合には前記車両における操舵および速度を制御する自動運転で前記車両の走行を制御する。【選択図】図１
2020101957.tif 000002
【特許請求の範囲】
【請求項１】
車両が走行する走行領域に配設され前記走行領域を区分するゲートのゲート位置を表す位置情報を含む地図情報を格納する地図情報格納部と、
前記走行領域での前記車両の車両位置を測定する位置測定部と、
前記走行領域に配置される車線を示す区画線を検出する区画線検出部と、
前記車両の走行を制御する走行制御部と、
前記位置測定部で測定した車両位置が前記位置情報で表されたゲート位置から所定の距離以内である場合であって前記区画線検出部によって前記区画線の終了を検出した場合に、前記区画線で示された車線を前記車両が走行していた際の走行方向に沿って、前記ゲート位置から前記位置測定部で測定した車両位置に向かって、前記ゲート含む所定の第１長さのゲート区間、前記ゲート区間に続く所定の第２長さの速度制御区間、および、前記速度制御区間に続く所定の第３長さの加速禁止区間を前記走行領域に設定する区間設定部とを備え、
前記走行制御部は、前記位置測定部で測定した車両位置が前記加速禁止区間内である場合には前記車両の加速を禁止する第１運転支援で前記車両の走行を制御し、前記位置測定部で測定した車両位置が前記速度制御区間内である場合には前記車両の速度を制御する第２運転支援で前記車両の走行を制御し、前記位置測定部で測定した車両位置が前記ゲート区間内である場合には前記車両における操舵および速度を制御する自動運転で前記車両の走行を制御する、
運転支援装置。
【請求項２】
前記ゲート位置から前記区画線検出部によって検出された前記区画線が終了する終了位置までの走行領域における渋滞状況を検出する渋滞検出部をさらに備え、
前記区間設定部は、前記渋滞検出部で検出した渋滞状況に応じて、前記ゲート区間における第１始点位置および第１終点位置、前記速度制御区間における第２始点位置および第２終点位置、ならびに、前記加速禁止区間における第３始点位置および第３終点位置を決定する、
請求項１に記載の運転支援装置。
【請求項３】
前記区間設定部は、前記渋滞検出部によって前記渋滞状況として渋滞有りを検出した場合に、渋滞無しの場合における速度制御区間の第２長さに較べて前記速度制御区間の第２長さが長くなるように、前記ゲート区間における第１始点位置および第１終点位置、前記速度制御区間における第２始点位置および第２終点位置、ならびに、前記加速禁止区間における第３始点位置および第３終点位置を決定する、
請求項２に記載の運転支援装置。
【請求項４】
前記区間設定部は、前記渋滞検出部によって前記渋滞状況として渋滞有りを検出した場合に、前記加速禁止区間における第３始点位置を、前記区画線検出部によって検出された前記区画線が終了する終了位置より、前記ゲート位置から離れる方向に、所定の距離だけ離れた位置に決定する、
請求項３に記載の運転支援装置。
【請求項５】
前記地図情報は、前記走行領域の形状を表す走行領域情報をさらに含み、
表示を行う表示部と、
前記走行領域情報で表される走行領域、前記位置情報で表されるゲート位置のゲート、前記ゲート区間、前記速度制御区間および前記加速禁止区間を前記表示部に表示する表示処理部とをさらに備える、
請求項１ないし請求項４のいずれか１項に記載の運転支援装置。
【請求項６】
車両が走行する走行領域に配設され前記走行領域を区分するゲートのゲート位置を表す位置情報を含む地図情報を用いて前記車両の運転操作を支援する運転支援方法であって、
前記走行領域での前記車両の車両位置を測定する位置測定工程と、
前記走行領域に配置される車線を示す区画線を検出する区画線検出工程と、
前記車両の走行を制御する走行制御工程と、
前記位置測定工程で測定した車両位置が前記位置情報で表されたゲート位置から所定の距離以内である場合であって前記区画線検出工程によって前記区画線の終了を検出した場合に、前記ゲート位置から前記位置測定工程で測定した車両位置までの走行領域に、前記区画線で示された車線を前記車両が走行していた際の走行方向に沿って、前記ゲート含む所定の第１長さのゲート区間、前記ゲート区間に続く所定の第２長さの速度制御区間、および、前記速度制御区間に続く所定の第３長さの加速禁止区間を前記走行領域に設定する区間設定工程とを備え、
前記走行制御工程は、前記位置測定工程で測定した車両位置が前記加速禁止区間内である場合には前記車両の加速を禁止する第１運転支援で前記車両の走行を制御し、前記位置測定工程で測定した車両位置が前記速度制御区間内である場合には前記車両の速度を制御する第２運転支援で前記車両の走行を制御し、前記位置測定工程で測定した車両位置が前記ゲート区間内である場合には前記車両における操舵および速度を制御する自動運転で前記車両の走行を制御する、
運転支援方法。
【発明の詳細な説明】
【技術分野】
【０００１】
本発明は、車両の運転操作を支援する運転支援装置および運転支援方法に関する。
【背景技術】
【０００２】
近年、車両の運転操作を支援する技術や車両の運転操作を自動化する技術が、研究、開発されている。このような技術の１つとして、例えば自車の行先（目的地）や他車の動向等の状況に応じて車速の変更や車線の変更等が要求されることの多い料金所付近における技術が、例えば特許文献１および特許文献２に開示されている。
【０００３】
この特許文献１に開示された自動運転支援装置は、車両が走行する車線を区画する区画線を検出する区画線検出手段と、前記区画線検出手段により検出された前記区画線に基づいて前記車両の車線維持走行に係る自動運転支援を行う運転支援手段と、料金所の進行方向手前側において、前記区画線の左右いずれか一方が消失する地点である区画線消失地点又は前記車両の走行する車線の幅が拡幅する地点である道路拡幅地点を特定する地点特定手段と、を有し、前記運転支援手段は、前記車両の進行方向前方に料金所がある場合に、前記区画線消失地点又は前記道路拡幅地点のいずれかを前記車線維持走行に係る自動運転支援の制御内容の変更を行う変更地点又は制御を終了する終了地点として設定する。そして、この自動運転支援装置では、前記運転支援手段は、前記車両が前記変更点を通過してから前記終了点を通過するまでは、片側の区画線、あるいは、残存する片側の区画線、あるいは、車線の幅が拡幅する側と反対側にある区画線、に基づいて前記車線維持走行に係る自動運転支援を行う。
【０００４】
前記特許文献２に開示された車両の走行制御装置は、外界センサの情報から車線区分線と各車線上の他車および自車前方を認識する周囲認識機能、自車の絶対位置を推定する機能、および、内界センサの情報に基づいて自車の運動状態を取得する機能を含む環境状態推定部と、前記環境状態推定部に取得される情報に基づいて目標経路を生成する経路生成部と、前記目標経路に自車を追従させるべく速度制御および操舵制御を行う車両制御部と、を備えた車両の走行制御装置において、前記環境状態推定部は、自車前方の料金所とその各ゲートを認識する機能、および、前記各ゲートから目標ゲートを選定する機能を含み、前記経路生成部は、前記目標ゲートに進入するための目標進入経路を生成する機能を含む。そして、この車両の走行制御装置では、前記環境状態推定部は、前記目標進入経路に接近する他車が存在せず、前記目標進入経路に先行他車が存在しないかまたは少なく、前記目標進入経路に沿って走行する場合の操舵量が最小になるようなゲートを前記目標ゲートに選定する機能を含む。
【先行技術文献】
【特許文献】
【０００５】
【特許文献１】特開２０１７−１５９７２３号公報
【特許文献２】特開２０１８−１５１２８７号公報
【発明の概要】
【発明が解決しようとする課題】
【０００６】
ところで、料金所等のゲート付近では、車両の運転者は、例えば自車の行先（目的地）や他車の動向等の状況に応じて自己の選択した目標ゲートに向かって操舵したい場合がある。前記特許文献１および特許文献２に開示された技術は、走行経路を車両側で自動的に決定するため、このような場合に対応することが難しい。
【０００７】
本発明は、上述の事情に鑑みて為された発明であり、その目的は、運転者の操舵意図に合わせて運転操作を支援できる運転支援装置および運転支援方法を提供することである。
【課題を解決するための手段】
【０００８】
本発明者は、種々検討した結果、上記目的は、以下の本発明により達成されることを見出した。すなわち、本発明の一態様にかかる運転支援装置は、車両が走行する走行領域に配設され前記走行領域を区分するゲートのゲート位置を表す位置情報を含む地図情報を格納する地図情報格納部と、前記走行領域での前記車両の車両位置を測定する位置測定部と、前記走行領域に配置される車線を示す区画線を検出する区画線検出部と、前記車両の走行を制御する走行制御部と、前記位置測定部で測定した車両位置が前記位置情報で表されたゲート位置から所定の距離以内である場合であって前記区画線検出部によって前記区画線の終了を検出した場合に、前記区画線で示された車線を前記車両が走行していた際の走行方向に沿って、前記ゲート位置から前記位置測定部で測定した車両位置に向かって、前記ゲート含む所定の第１長さのゲート区間、前記ゲート区間に続く所定の第２長さの速度制御区間、および、前記速度制御区間に続く所定の第３長さの加速禁止区間を前記走行領域に設定する区間設定部とを備え、前記走行制御部は、前記位置測定部で測定した車両位置が前記加速禁止区間内である場合には前記車両の加速を禁止する第１運転支援で前記車両の走行を制御し、前記位置測定部で測定した車両位置が前記速度制御区間内である場合には前記車両の速度を制御する第２運転支援で前記車両の走行を制御し、前記位置測定部で測定した車両位置が前記ゲート区間内である場合には前記車両における操舵および速度を制御する自動運転で前記車両の走行を制御する。好ましくは、上述の運転支援装置において、前記地図情報格納部は、前記地図情報を記憶することで格納する記憶部である。好ましくは、上述の運転支援装置において、前記地図情報格納部は、前記地図情報を記録することで格納する記録媒体と、前記記録媒体から前記地図情報を読み出す読出装置とを備える。好ましくは、上述の運転支援装置において、前記地図情報格納部は、前記地図情報を管理するサーバ装置からネットワークを介して受信する受信部と、前記受信部で受信した地図情報を記憶することで格納する記憶部とを備える。好ましくは、上述の運転支援装置において、前記走行領域は、道路であり、前記ゲートは、前記道路を有料道路と非有料道路とに区分するゲートである。好ましくは、上述の運転支援装置において、前記走行領域は、道路と区画領域とを含み、前記ゲートは、前記道路と前記区画領域との境界に配設されたゲートである。好ましくは、前記区画領域は、駐車場、テーマパークおよびサファリパークのうちのいずれかである。好ましくは、上述の運転支援装置において、前記第２運転支援では、前記走行制御部は、前記車両の速度を減速するように前記車両の走行を制御する。好ましくは、上述の運転支援装置において、前記自動運転では、前記走行制御部は、前記車両の操舵を直進となるように、かつ、前記車両の速度を定速となるように、前記車両の走行を制御する。好ましくは、上述の運転支援装置において、前記区間設定部は、前記ゲート位置から前記区画線検出部によって検出された前記区画線が終了する終了位置までの走行領域に、前記ゲート区間、前記速度制御区間および前記加速禁止区間を設定する。
【０００９】
このような運転支援装置は、ゲート含むゲート区間の手前に速度制御区間を設定し、この速度制御区間では、車両の速度を制御することで、運転者の運転操作を支援する。したがって、速度制御区間では運転者の操舵操作が許容され、上記運転支援装置は、運転者の操舵意図に合わせて運転操作を支援できる。上記運転支援装置は、ゲートに至るまでに、加速禁止区間、速度制御区間およびゲート区間を順次に設定し、加速の禁止、速度の制御および自動運転の順で運転支援の程度を順次に強めて運転操作を支援するので、比較的、交通の錯綜し易いゲート付近を運転者の意図を汲みつつ安全に走行できる。
【００１０】
他の一態様では、上述の運転支援装置において、前記ゲート位置から前記区画線検出部によって検出された前記区画線が終了する終了位置までの走行領域における渋滞状況を検出する渋滞検出部をさらに備え、前記区間設定部は、前記渋滞検出部で検出した渋滞状況に応じて、前記ゲート区間における第１始点位置および第１終点位置、前記速度制御区間における第２始点位置および第２終点位置、ならびに、前記加速禁止区間における第３始点位置および第３終点位置を決定する。
【００１１】
操舵のし易さは、渋滞状況に応じて変わる。上記運転支援装置は、渋滞状況に応じて各区間の長さを変更できるので、操舵操作を許容する速度制御区間の第２長さを渋滞状況に応じて可変できる。したがって、上記運転支援装置は、操舵がし易くなるように、渋滞状況に応じて速度制御区間の第２長さを変更できる。
【００１２】
他の一態様では、これら上述の運転支援装置において、前記区間設定部は、前記渋滞検出部によって前記渋滞状況として渋滞有りを検出した場合に、渋滞無しの場合における速度制御区間の第２長さに較べて前記速度制御区間の第２長さが長くなるように、前記ゲート区間における第１始点位置および第１終点位置、前記速度制御区間における第２始点位置および第２終点位置、ならびに、前記加速禁止区間における第３始点位置および第３終点位置を決定する。好ましくは、上述の運転支援装置において、前記速度制御区間における第２始点位置と前記加速禁止区間における第３終点位置とは、同一位置であり、前記区間設定部は、前記渋滞検出部によって前記渋滞状況として渋滞有りを検出した場合に、渋滞無しの場合における速度制御区間における第２始点位置（前記加速禁止区間における第３終点位置）より、前記ゲート位置から離れる方向に、所定の距離だけ離れた位置に決定する（ずらす、シフトする、移動する）。
【００１３】
このような運転支援装置は、渋滞有りを検出した場合に、渋滞無しの場合における速度制御区間の第２長さに較べて前記速度制御区間の第２長さを長くするので、操舵操作を許容する速度制御区間をより長く確保でき、運転者は、他車の動向を観察しながら余裕を持って操舵できる。したがって、運転者は、比較的、交通の錯綜し易いゲート付近を安全に運転できる。
【００１４】
他の一態様では、上述の運転支援装置において、前記区間設定部は、前記渋滞検出部によって前記渋滞状況として渋滞有りを検出した場合に、前記加速禁止区間における第３始点位置を、前記区画線検出部によって検出された前記区画線が終了する終了位置より、前記ゲート位置から離れる方向に、所定の距離だけ離れた位置に決定する。
【００１５】
このような運転支援装置は、速度制御区間の第２長さが長くなっても、加速禁止区間を確保できる。
【００１６】
他の一態様では、これら上述の運転支援装置において、前記地図情報は、前記走行領域の形状を表す走行領域情報をさらに含み、表示を行う表示部と、前記走行領域情報で表される走行領域、前記位置情報で表されるゲート位置のゲート、前記ゲート区間、前記速度制御区間および前記加速禁止区間を前記表示部に表示する表示処理部とをさらに備える。
【００１７】
このような運転支援装置は、走行領域、加速禁止区間、速度制御区間、ゲート区間およびゲートを表示部に表示するので、運転者は、走行領域上で、これら加速禁止区間、速度制御区間、ゲート区間およびゲートの各位置を認識できる。
【００１８】
本発明の他の一態様にかかる運転支援方法は、車両が走行する走行領域に配設され前記走行領域を区分するゲートのゲート位置を表す位置情報を含む地図情報を用いて前記車両の運転操作を支援する方法であって、前記走行領域での前記車両の車両位置を測定する位置測定工程と、前記走行領域に配置される車線を示す区画線を検出する区画線検出工程と、前記車両の走行を制御する走行制御工程と、前記位置測定工程で測定した車両位置が前記位置情報で表されたゲート位置から所定の距離以内である場合であって前記区画線検出工程によって前記区画線の終了を検出した場合に、前記ゲート位置から前記位置測定工程で測定した車両位置までの走行領域に、前記区画線で示された車線を前記車両が走行していた際の走行方向に沿って、前記ゲート含む所定の第１長さのゲート区間、前記ゲート区間に続く所定の第２長さの速度制御区間、および、前記速度制御区間に続く所定の第３長さの加速禁止区間を前記走行領域に設定する区間設定工程とを備え、前記走行制御工程は、前記位置測定工程で測定した車両位置が前記加速禁止区間内である場合には前記車両の加速を禁止する第１運転支援で前記車両の走行を制御し、前記位置測定工程で測定した車両位置が前記速度制御区間内である場合には前記車両の速度を制御する第２運転支援で前記車両の走行を制御し、前記位置測定工程で測定した車両位置が前記ゲート区間内である場合には前記車両における操舵および速度を制御する自動運転で前記車両の走行を制御する。
【００１９】
このような運転支援方法は、ゲート含むゲート区間の手前に速度制御区間を設定し、この速度制御区間では、車両の速度を制御することで、運転者の運転操作を支援する。したがって、速度制御区間では運転者の操舵操作が許容され、上記運転支援方法は、運転者の操舵意図に合わせて運転操作を支援できる。上記運転支援方法は、ゲートに至るまでに、加速禁止区間、速度制御区間およびゲート区間を順次に設定し、加速の禁止、速度の制御および自動運転の順で運転支援の程度を順次に強めて運転操作を支援するので、比較的、交通の錯綜し易いゲート付近を運転者の意図を汲みつつ安全に走行できる。
【発明の効果】
【００２０】
本発明にかかる運転支援装置および運転支援方法は、運転者の操舵意図に合わせて運転操作を支援できる。
【図面の簡単な説明】
【００２１】
【図１】実施形態における運転支援装置の構成を示すブロック図である。
【図２】車両に取り付けられた前記運転支援装置の撮像部を説明するための図である。
【図３】渋滞無しの場合において、前記運転支援装置によって走行領域に割り付けられる各区間を説明するための図である。
【図４】渋滞有りの場合において、前記運転支援装置によって走行領域に割り付けられる各区間を説明するための図である。
【図５】前記運転支援装置で表示される表示画面を説明するための図である。
【図６】前記運転支援装置の動作を示すフローチャートである。
【発明を実施するための形態】
【００２２】
以下、図面を参照して、本発明の１または複数の実施形態が説明される。しかしながら、発明の範囲は、開示された実施形態に限定されない。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００２３】
実施形態における運転支援装置は、車両が走行する走行領域に配設され前記走行領域を区分するゲートのゲート位置を表す位置情報を含む地図情報を格納する地図情報格納部と、前記走行領域での前記車両の車両位置を測定する位置測定部と、前記走行領域に配置される車線を示す区画線を検出する区画線検出部と、前記車両の走行を制御する走行制御部と、前記位置測定部で測定した車両位置が前記位置情報で表されたゲート位置から所定の距離以内である場合であって前記区画線検出部によって前記区画線の終了を検出した場合に、前記区画線で示された車線を前記車両が走行していた際の走行方向に沿って、前記ゲート位置から前記位置測定部で測定した車両位置に向かって、前記ゲート含む所定の第１長さのゲート区間、前記ゲート区間に続く所定の第２長さの速度制御区間、および、前記速度制御区間に続く所定の第３長さの加速禁止区間を前記走行領域に設定する区間設定部とを備える。そして、前記走行制御部は、前記位置測定部で測定した車両位置が前記加速禁止区間内である場合には前記車両の加速を禁止する第１運転支援で前記車両の走行を制御し、前記位置測定部で測定した車両位置が前記速度制御区間内である場合には前記車両の速度を制御する第２運転支援で前記車両の走行を制御し、前記位置測定部で測定した車両位置が前記ゲート区間内である場合には前記車両における操舵および速度を制御する自動運転で前記車両の走行を制御する。このような運転支援装置について、以下、より具体的に説明する。
【００２４】
図１は、実施形態における運転支援装置の構成を示すブロック図である。図２は、車両に取り付けられた前記運転支援装置の撮像部を説明するための図である。図３は、渋滞無しの場合において、前記運転支援装置によって走行領域に割り付けられる各区間を説明するための図である。図４は、渋滞有りの場合において、前記運転支援装置によって走行領域に割り付けられる各区間を説明するための図である。図５は、前記運転支援装置で表示される表示画面を説明するための図である。
【００２５】
実施形態における運転支援装置ＤＳは、例えば、図１に示すように、撮像部１と、位置測定部２と、制御処理部４と、記憶部５とを備え、さらに、本実施形態では、走行を制御するために、車速測定部３を備え、走行させるために、動力部６ａ、動力伝達部６ｂ、制動部７および操舵部８を備え、所定の入力および表示を行うために、入力部９および表示部１０を備える。
【００２６】
撮像部１は、制御処理部４に接続され、制御処理部４の制御に従って画像を生成する装置である。撮像部１は、例えば、被写体の光学像を所定の結像面上に結像する結像光学系、前記結像面に受光面を一致させて配置され、前記被写体の光学像を電気的な信号に変換するエリアイメージセンサ、および、エリアイメージセンサの出力を画像処理することで前記被写体の画像を表すデータである画像データを生成する画像処理部等を備えるデジタルカメラである。撮像部１は、区画線を検出するために、路面を含むように、車両の前方を撮像するように、前記車両に搭載される。例えば、撮像部１は、図２に示すように、車両ＶＣ内において、フロントガラス近傍の天井面（ルーフ内側面）に、路面を含むように、車両ＶＣの前方を撮像するように、その撮影方向（光軸方向）を斜め下方に向けて配設される。これによって、撮像部１は、路面を含むように車両ＶＣの前方を撮像することで前方画像（前方画像データ）を生成する。撮像部１は、前方画像（前方画像データ）を制御処理部４へ出力する。
【００２７】
位置測定部２は、制御処理部４に接続され、制御処理部４の制御に従って、車両が走行する走行領域での車両の車両位置を測定する装置である。位置測定部２は、例えば、地球上の現在位置を測定するための衛星測位システムによって、車両位置を測定する装置、例えばＧＰＳ（Ｇｌｏｂａｌ  Ｐｏｓｉｔｉｏｎｉｎｇ  Ｓｙｓｔｅｍ）受信装置であり、その測位結果（緯度Ｘ、経度Ｙ、高度Ｚ）を制御処理部４へ出力する。なお、ＧＰＳ受信装置は、ＤＧＳＰ（Ｄｉｆｆｅｒｅｎｔｉａｌ  ＧＳＰ）等の誤差を補正する補正機能を持ったＧＰＳ受信装置であっても良い。また、衛星測位システムの衛星は、準同期軌道を周回するいわゆるＧＰＳ衛星だけでなく、見かけ上一地域の上空に留まる準天頂衛星を含む。
【００２８】
車速測定部３は、制御処理部４に接続され、制御処理部４の制御に従って、車両の速度を測定する装置である。車速測定部３は、例えば、ロータリエンコーダおよびその周辺回路を備え、単位時間当たりの、車輪（車軸）における回転の変位量から車輪速（車輪の回転速度）を測定する車輪速センサ等である。車速測定部３は、その測定した車輪速を制御処理部４へ出力する。本実施形態では、制御処理部４が車輪の大きさに基づき車輪速を車速へ変換するが、この車輪速から車速の変換は、車輪速センサを備える車速測定部３で実施されて良く、あるいは、制御処理部４は、車輪速を車速として扱っても良い。
【００２９】
動力部６ａは、制御処理部４に接続され、制御処理部４の制御に従って車両を駆動（移動）する動力を生成する装置である。動力部６ａは、例えば、エンジン、モータおよびこれらのハイブリッド装置等の原動機およびその付属機器を備えて構成される。動力伝達部６ｂは、動力部６ａが生成した動力を駆動輪に伝達する機構であり、制御処理部４に接続され、制御処理部４の制御に従って、車両の進行方向の切り換えや、変速比および減速比の切り換えを行うトランスミッションを含む。このように動力部６ａが生成した動力は、動力伝達部６ｂを介して駆動輪に伝達され、駆動輪を回転させる。
【００３０】
制動部７は、制御処理部４に接続され、制御処理部４の制御に従って車両に制動力を与え、車両を減速する装置である。制動部７は、車両を減速した結果、停止させることもでき、車両の停止中に制動力を与え続けた結果、車両の停止を維持することもできる。制動部７は、例えば、ディスクブレーキおよび回生ブレーキ等のブレーキ装置およびその付属機器を備えて構成される。なお、制動部７は、いわゆるパーキングブレーキ装置の機能を含む。
【００３１】
操舵部８は、制御処理部４に接続され、制御処理部４の制御に従って車両の操舵を行う装置である。操舵部８は、車両の操舵輪の方向を変えるステアリング装置およびその付属機器を備えて構成される。
【００３２】
動力部６ａおよび制動部７それぞれを制御することで、車両の加速度が調整され、車輪速および車両の速度（車速）が調整される。動力伝達部６ｂの前記トランスミッションを制御することで、車両の進行方向（前進、後退）が調整される。操舵部８を制御することで、車両の走行方向が調整される。
【００３３】
入力部９は、制御処理部４に接続され、例えば、定速走行の開始やその解除を指示するコマンドや、運転支援の開始やその解除を指示するコマンドや、自動運転の開始やその解除を指示するコマンドや、カーナビゲーションの開始やその解除を指示するコマンド等の各種コマンド、および、例えば定速走行の設定速度や目的地等の各種データを運転支援装置ＤＳに入力する機器であり、例えば、予め機能を割り付けた複数のスイッチ等である。表示部１０は、制御処理部４に接続され、制御処理部４の制御に従って、入力部９から入力されたコマンドやデータ、カーナビゲーションにかかる情報（例えば地図、経路、走行上の注意や案内、および、現在位置等）、および、後述のように運転支援装置ＤＳで走行領域に設定された各区間等を表示する機器であり、例えば液晶ディスプレイ（ＬＣＤ）および有機ＥＬディスプレイ等の表示装置である。
【００３４】
本実施形態では、入力部９の一部および表示部１０からタッチパネルが構成される。このタッチパネルを構成する場合において、入力部９は、その一部として、例えば抵抗膜方式や静電容量方式等の操作位置を検出して入力する位置入力装置を含む。このタッチパネルでは、表示部１０の表示面上に前記位置入力装置が設けられ、表示部１０に入力可能な１または複数の入力内容の候補が表示され、ユーザが、入力したい入力内容を表示した表示位置を触れると、前記位置入力装置によってその位置が検出され、検出された位置に表示された表示内容がユーザの操作入力内容として運転支援装置ＤＳに入力される。このようなタッチパネルでは、ユーザは、入力操作を直感的に理解し易いので、ユーザにとって取り扱い易い運転支援装置ＤＳが提供される。
【００３５】
記憶部５は、制御処理部４に接続され、制御処理部４の制御に従って各種の所定のプログラムおよび各種の所定のデータを記憶する回路である。前記各種の所定のプログラムには、例えば、運転支援装置ＤＳの各部１〜３、５〜１０を当該各部の機能に応じてそれぞれ制御する制御プログラムや、撮像部１で生成された前方画像から、走行領域に配置される車線を示す区画線を検出する区画線検出処理プログラムや、撮像部１で生成された前方画像から、前記ゲート位置から前記区画線検出処理プログラムによって検出された前記区画線が終了する終了位置までの走行領域における渋滞状況を検出する渋滞検出処理プログラムや、後述のように、ゲート区間、速度制御区間および加速禁止区間を走行領域に設定する区間設定プログラムや、車両の走行を制御する走行制御プログラムや、表示部１０に所定の情報を表示する表示処理プログラム等の制御処理プログラムが含まれる。前記各種の所定のデータには、走行領域を含む地図を表す地図情報等の、各プログラムを実行する上で必要なデータ等が含まれる。記憶部５は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。そして、記憶部５は、前記所定のプログラムの実行中に生じるデータ等を記憶するいわゆる制御処理部４のワーキングメモリとなるＲＡＭ（Ｒａｎｄｏｍ  Ａｃｃｅｓｓ  Ｍｅｍｏｒｙ）等を含む。なお、記憶部５は、比較的大きな記憶容量を持つハードディスク装置や、例えばＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）等の記録媒体からデータを読み出すドライブ装置を備えても良い。そして、記憶部５は、地図情報記憶部５１を機能的に備える。
【００３６】
地図情報記憶部５１は、地図情報を記憶するものである。前記地図情報は、本実施形態では、車両が走行する走行領域に配設され前記走行領域を区分するゲートのゲート位置を表す位置情報、および、前記走行領域の形状を表す走行領域情報を含む。前記地図情報は、例えば車線や標識等の走行領域に付属する走行に関わる各種情報や、例えば地名およびその位置や建物名およびその位置等のカーナビゲーションに関わる各種情報等を含む。このような地図情報には、公知の地図情報が用いられて良く、いわゆるＡＤＡＳマップや高精度地図等と呼称される地図情報が好ましい。ＡＤＡＳ（Ａｄｖａｎｃｅｄ  Ｄｒｉｖｅｒ  Ａｓｓｉｓｔａｎｃｅ  Ｓｙｓｔｅｍ、先進運転支援システム）は、自動運転の実現に向けた施策であり、ＡＤＡＳマップ（高精度地図）は、このＡＤＡＳに利用可能なデータであり、例えば、道路、路面標識、車線、道路標識、外灯、電柱、橋、トンネル、建物等の道路を走行する車両から観測可能な主要な対象物を表した３次元データであり、例えば、いわゆる地図メーカから提供されている。
【００３７】
例えば、前記走行領域は、道路であり、前記ゲートは、前記道路を有料道路と非有料道路とに区分するゲートである。また例えば、前記走行領域は、道路と区画領域とを含み、前記ゲートは、前記道路と前記区画領域との境界に配設されたゲートである。前記区画領域は、例えば、駐車場、テーマパークおよびサファリパーク等である。以下では、一例として、前記走行領域が道路であって、前記ゲートが前記有料道路の一例である高速道路と前記非有料道路の一例である一般道路とを区分する料金ゲートの場合について説明するが、前記走行領域および前記ゲートが上述の各場合であっても同様に説明できる。また、実施形態における運転支援装置ＤＳは、有料道路に入るためにゲートを通過する場合でだけでなく、有料道路から出るためにゲートを通過する場合にも適用され、同様に、区画領域に入るためにゲートを通過する場合でだけでなく、区画領域から出るためにゲートを通過する場合にも適用される。
【００３８】
制御処理部４は、運転支援装置ＤＳの各部１〜３、５〜１０を当該各部の機能に応じてそれぞれ制御し、ユーザの運転操作を支援するための回路である。制御処理部４は、例えば、ＣＰＵ（Ｃｅｎｔｒａｌ  Ｐｒｏｃｅｓｓｉｎｇ  Ｕｎｉｔ）およびその周辺回路を備えて構成される。制御処理部４は、前記制御処理プログラムが実行されることによって、制御部４１、区画線検出処理部４２、渋滞検出処理部４３、区間設定部４４、走行制御部４５および表示処理部４６を機能的に備える。
【００３９】
制御部４１は、運転支援装置ＤＳの各部１〜３、５〜１０を当該各部の機能に応じてそれぞれ制御し、運転支援装置ＤＳの全体制御を司るものである。
【００４０】
区画線検出処理部４２は、撮像部１で生成された前方画像から、走行領域に配置される車線を示す区画線（ライン）を検出するものである。画像から区画線を検出する区画線検出処理には、公知の処理手法が用いられる。例えば、特開平１１−１６７６３６号公報に開示されているように、予め白線（区画線の一例）を示すテンプレート画像を用意し、前記テンプレート画像とカメラで得られた画像とのマッチングを行って白線位置を検出するテンプレートマッチング法を用いて白線が求められる。あるいは、例えば、特開平７−８５２４９号公報に開示されているように、白線探索エリア内で横方向に明度変化が探索され、明度変化の極めて少ない部分が道路部分であると判断され、明度変化の極めて少ない道路部分に隣接して該明度変化が大きい部分が白線であると判断される。あるいは、例えば、特開２００７−２２００１３号公報に開示されているように、走行路上の画像からエッジ検出により白線の候補となる構造物が検出され、前記白線の候補となる構造物の位置に対して所定の複数の相対位置にそれぞれ所定の構造物が存在するか否かが判定され、この判定結果に基づいて前記白線の候補となる構造物が白線であるか否かが判定される。ここで、前記所定の複数の相対位置および前記所定の構造物は、路上の複数の構造物が有する特有の相対位置関係を基に定められている。
【００４１】
渋滞検出処理部４３は、撮像部１で生成された前方画像から、前記ゲートのゲート位置から区画線検出処理部４２によって検出された前記区画線が終了する終了位置までの走行領域における渋滞状況を検出するものである。例えば、渋滞検出処理部４３は、例えばエッジ検出を用いた車両の輪郭線の検出や、車両を表すテンプレートを用いたテンプレートマッチング等によって、撮像部１で生成された前方画像から車両を抽出し、前記抽出した車両の個数と予め設定された閾値（第１渋滞有無判定閾値）とを比較し、前記比較の結果、前記抽出した車両の個数が前記第１渋滞有無判定閾値以上である場合には、前記渋滞状況として渋滞有りと判定する一方、前記抽出した車両の個数が前記第１渋滞有無判定閾値未満である場合には、前記渋滞状況として渋滞無しと判定する。また例えば、渋滞検出処理部４３は、第１時点で撮像部１で撮像した画像から抽出され車両の個数と前記第１渋滞有無判定閾値とを比較し、この比較の結果、前記第１時点での車両の個数が前記第１渋滞有無判定閾値未満である場合には、前記渋滞状況として渋滞無しと判定する一方、前記第１時点での車両の個数が前記第１渋滞有無判定閾値以上である場合には、さらに、前記第１時点での車両の個数と、前記第１時点から所定の時間間隔を空けた第２時点で撮像部１で撮像した画像から抽出され車両の個数と比較し、前記比較の結果、前記第２時点での車両の個数が前記第１時点での車両の個数より予め設定された閾値（第２渋滞有無判定閾値）以上減っている場合には、前記渋滞状況として渋滞無しと判定する一方、前記第２時点での車両の個数が前記第１時点での車両の個数より第２渋滞有無判定閾値以上減っていない場合には、前記渋滞状況として渋滞有りと判定する。これによれば、ゲートを通過する車両の状況を勘案して渋滞状況が判定できる。
【００４２】
区間設定部４４は、位置測定部２で測定した車両位置が前記位置情報で表されたゲート位置から所定の距離以内である場合であって区画線検出処理部４２によって前記区画線の終了を検出した場合に、前記区画線で示された車線を前記車両が走行していた際の走行方向に沿って、前記ゲート位置から前記位置測定部２で測定した車両位置に向かって、前記ゲートを含む所定の第１長さのゲート区間、前記ゲート区間に続く所定の第２長さの速度制御区間、および、前記速度制御区間に続く所定の第３長さの加速禁止区間を走行領域に設定するものである。本実施形態では、区間設定部４４は、渋滞検出処理部４３で検出した渋滞状況に応じて、前記ゲート区間における第１始点位置および第１終点位置、前記速度制御区間における第２始点位置および第２終点位置、ならびに、前記加速禁止区間における第３始点位置および第３終点位置を決定する。より具体的には、本実施形態では、区間設定部４４は、渋滞検出処理部４３によって前記渋滞状況として渋滞有りを検出した場合に、渋滞無しの場合における速度制御区間の第２長さに較べて前記速度制御区間の第２長さが長くなるように、前記ゲート区間における第１始点位置および第１終点位置、前記速度制御区間における第２始点位置および第２終点位置、ならびに、前記加速禁止区間における第３始点位置および第３終点位置を決定する。前記所定の距離は、適宜に設定され、例えば、３００ｍや、５００ｍ等に設定される。
【００４３】
例えば、図３および図４に示すように、走行領域ＤＡが、４個の第１ないし第４区画線ＬＭ１〜ＬＭ４によって示される３個の第１ないし第３車線ＬＮ１、ＬＮ２、ＬＮ３を備える第１走行区間ＤＡ１と、区画線ＬＭの無い、第１走行区間ＤＡ１の道路幅（幅員）より道路幅の拡幅されている、前記第１走行区間ＤＡ１に続く第２走行区間ＤＡ２と、第２走行区間ＤＡ２から互いに異なる方向に分岐して延びる、第２走行区間ＤＡ２に続く２個の第３および第４走行区間ＤＡ３、ＤＡ４とから成り、第２走行区間ＤＡ２の一方端側に５個の第１ないし第５ゲートＧＴ１〜ＧＴ５が、走行方向に対し直交する方向に並置して配置されている場合に、第１車線ＬＮ１を走行する車両ＶＣｓの運転支援装置ＤＳにおいて、区間設定部４４は、位置測定部２で測定した車両ＶＣｓの車両位置Ｐｓがゲート位置Ｐｇｔから所定の距離（上述の例では３００ｍや５００ｍ等）以内である場合であって区画線検出処理部４２によって区画線ＬＭ（この例ではＬＭ２）の終了を検出した場合に、区画線ＬＭ２で示された車線ＬＮ１を車両ＶＣｓが走行していた際の走行方向ＤＲに沿って、ゲート位置Ｐｇｔから位置測定部２で測定した車両ＶＣｓの車両位置Ｐｓに向かって、ゲートＧＴ（ＧＴ１〜ＧＴ５）を含む所定の第１長さのゲート区間ＡＲｇｔ、ゲート区間ＡＲｇｔに続く所定の第２長さの速度制御区間ＡＲｃｓ、および、速度制御区間ＡＲｃｓに対しゲート位置Ｐｇｔから離れる方に速度制御区間ＡＲｃｓに続く所定の第３長さの加速禁止区間ＡＲｎａを走行領域ＤＡに設定する。
【００４４】
前記ゲート区間は、渋滞有りの場合および渋滞無しの場合において、ゲート位置を終点として、あるいは、ゲート位置の前後に、設定される。図３および図４に示す例では、ゲート区間ＡＲｇｔは、ゲート位置Ｐｇｔを終点として設定されている。前記ゲート区間の第１長さは、適宜な長さに設定されて良いが、例えば、ゲートＧＴ（ＧＴ１〜ＧＴ５）での車線を区分するアイランドＩＳ（ＩＳ１〜ＩＳ５）の長さに設定される。この例では、ゲート区間ＡＲｇｔの第１始点位置Ｐｇ１は、アイランドＩＳの開始位置に設定され、ゲート区間ＡＲｇｔの第１終点位置Ｐｇ２は、ゲート位置Ｐｇｔに設定される（Ｐｇｔ＝Ｐｇ２）。
【００４５】
前記速度制御区間は、運転者がゲートを選択できるように運転者の操舵操作を許容しつつ、車両の速度を制御することで運転操作を支援する区間であり、前記速度制御区間の第２長さは、ゲート選択の可能な長さに適宜に設定される。例えば、渋滞無しの場合において、前記速度制御区間の第２長さは、原則、区画線終了位置Ｐｌｍからゲート位置Ｐｇｔまでの長さ（距離）の７割程度の長さに設定される。ここで、この原則では、前記区画線終了位置Ｐｌｍからゲート位置Ｐｇｔまでの長さによっては、速度制御区間が、運転者の操舵操作によってゲート選択の可能な十分な第２長さで設定されない場合が有り得る。このため、速度制御区間の第２長さにおける最低限の第２長さが予め設定され、上述のように求めた第２長さと前記最低限の第２長さとが比較され、前記求めた第２長さが前記最低限の長さを下回った場合には、区間設定部４４は、前記速度制御区間の第２長さにおける前記最低限の長さで速度制御区間を設定する。この結果、速度制御区間の一部は、区画線の有る車線と重なる（オーバラップする）ことも有り得る。前記速度制御区間の第２長さにおける前記最低限の長さは、予め適宜に設定され、例えば、１００ｍや、２００ｍ等である。
【００４６】
そして、渋滞有りの場合では、図４に示すように、上述のように渋滞無しの場合で設定された速度制御区間の第２長さに、予め設定された所定の長さ（付加長さ）が加算され、渋滞有りでの速度制御区間の第２長さが設定される（（渋滞有りの第２長さ）＝（渋滞無しの第２長さ）＋（付加長さ））。この結果、速度制御区間の一部は、区画線の有る車線と重なることも有り得る。前記付加長さは、例えば５０ｍや１００ｍ等で、予め適宜に設定される。
【００４７】
速度制御区間の第２終点位置Ｐｓ２は、ゲート区間の第１始点位置Ｐｇ１であり、速度制御区間の第１始点位置Ｐｓ１は、ゲート区間の第１始点位置Ｐｇ１から、ゲート位置Ｐｇｔから離れる方向に、上述のように渋滞の有無に応じて設定された第２長さだけ移動した位置となる。
【００４８】
前記加速禁止区間は、運転支援の観点から車線の走行から速度制御区間の走行へ円滑に移行するために加速を禁止する区間であり、前記加速禁止区間の第３長さは、例えば、区画線終了位置Ｐｌｍからゲート位置Ｐｇｔまでの長さ（距離）から、ゲート区間の第１長さおよび速度制御区間の第２長さそれぞれを減算した残余の長さに、原則、設定される。すなわち、前記加速禁止区間の第３長さは、例えば、区画線終了位置Ｐｌｍから速度制御区間の第２始点位置までの長さに、原則、設定される。ここで、この原則では、前記区画線終了位置Ｐｌｍからゲート位置Ｐｇｔまでの長さによっては、加速禁止区間が円滑な移行に十分な第３長さで設定されない場合が有り得る。このため、加速禁止区間の第３長さにおける最低限の第３長さが予め設定され、前記減算結果の残余の長さと前記最低限の第３長さとが比較され、前記減算結果の残余の長さが前記最低限の第３長さを下回った場合には、区間設定部４４は、前記加速禁止区間の第３長さにおける前記最低限の第３長さで加速禁止区間を設定する。前記加速禁止区間の第３長さにおける前記最低限の第３長さは、予め適宜に設定され、例えば、３０ｍや５０ｍ等である。
【００４９】
このように各区間ＡＲｇｔ、ＡＲｃｓ、ＡＲｎａが設定される結果、渋滞無しの場合であって、前記減算結果の残余の長さが十分に確保されている場合、図３に示すように、加速禁止区間の第３始点位置Ｐａ１は、区画線終了位置Ｐｌｍとなり（Ｐａ１＝Ｐｉｍ）、加速禁止区間の第３終点位置Ｐａ２は、速度制御区間の第２始点位置Ｐｓ１となる（Ｐａ２＝Ｐｓ１）。区間設定部４４は、前記ゲート位置Ｐｇｔから区画線検出処理部４２によって検出された区画線が終了する区画線終了位置Ｐｌｍまでの走行領域（第２走行区間ＤＡ２）に、ゲート区間ＡＲｇｔ、速度制御区間ＡＲｃｓおよび加速禁止区間ＡＲｎａを設定する。
【００５０】
一方、渋滞有りの場合であって、前記減算結果の残余の長さが十分に確保されていない場合、図４に示すように、加速禁止区間の第３終点位置Ｐａ２は、速度制御区間の第２始点位置Ｐｓ１となるが（Ｐａ２＝Ｐｓ１）、加速禁止区間の第３始点位置Ｐａ１は、区画線終了位置Ｐｌｍより、前記ゲート位置Ｐｇｔから離れる方向に、ずれた位置となる。すなわち、加速禁止区間の一部または全部は、区画線の有る車線と重なる（オーバラップする）。したがって、この場合では、区間設定部４４は、渋滞検出処理部４３によって前記渋滞状況として渋滞有りを検出した場合に、前記加速禁止区間における第３始点位置Ｐａ１を、区画線検出処理部４２によって検出された前記区画線が終了する区画線終了位置Ｐｌｍより、前記ゲート位置Ｐｇｔから離れる方向に、所定の距離だけ離れた位置に決定する（ずらす、シフトする、移動する）ことになる。また、図３および図４に示すように、区間設定部４４は、渋滞検出処理部４３によって前記渋滞状況として渋滞有りを検出した場合に、渋滞無しの場合における速度制御区間ＡＲｃｓにおける第２始点位置Ｐｓ１（加速禁止区間ＡＲｎａにおける第３終点位置Ｐａ２）より、ゲート位置Ｐｇｔから離れる方向に、所定の距離だけ離れた位置に決定する（ずらす、シフトする、移動する）ことになる。
【００５１】
なお、渋滞有りの場合であっても、前記減算結果の残余の長さが十分に確保されている場合には、区間設定部４４は、前記ゲート位置Ｐｇｔから区画線検出処理部４２によって検出された区画線が終了する区画線終了位置Ｐｌｍまでの走行領域（第２走行区間ＤＡ２）に、ゲート区間ＡＲｇｔ、速度制御区間ＡＲｃｓおよび加速禁止区間ＡＲｎａを設定することになる。
【００５２】
走行制御部４５は、位置測定部２で測定した車両位置が前記加速禁止区間内である場合には前記車両の加速を禁止する第１運転支援で前記車両の走行を制御し、位置測定部２で測定した車両位置が前記速度制御区間内である場合には前記車両の速度を制御する第２運転支援で前記車両の走行を制御し、位置測定部２で測定した車両位置が前記ゲート区間内である場合には前記車両における操舵および速度を制御する自動運転で前記車両の走行を制御するものである。走行制御部４５は、前記車両が前記加速禁止区間に到達すると前記第１運転支援に自動で切り換え、前記車両が前記加速禁止区間から前記速度制御区間へ走行する場合に、前記第１運転支援から前記第２運転支援に自動で切り換え、前記車両が前記速度制御区間から前記ゲート区間へ走行する場合に、前記田尾２運転支援から前記自動運転に自動で切り換える。
【００５３】
前記第１運転支援では、走行制御部４５は、運転者による加速の運転操作（例えばアクセルペダルの踏む込み操作等）があっても、車両を加速しないように前記車両の走行を制御する。
【００５４】
前記第２運転支援では、走行制御部４５は、例えば、車両の速度を減速するように前記車両の走行を制御する。より具体的には、走行制御部４５は、車両が速度制御区間の始点位置を通過する際に、車速測定部３で測定した車速から、前記車両が前記速度制御区間の第２終点位置を通過する際に、ゲート区間での自動運転で用いられる車速まで前記車両の速度を減速するように、動力部６ａ、動力伝達部６ｂおよび制動部７を制御することで前記車両の走行を制御する。これにより運転支援区間からゲート区間へ車両が車速の点で円滑（スムーズ）に走行でき、車両の搭乗者に安心感を与えることができる。
【００５５】
前記自動運転では、走行制御部４５は、車両の操舵をゲート区間の車線に沿って直進となるように、かつ、前記車両の速度を定速となるように、動力部６ａ、動力伝達部６ｂおよび操舵部８を制御することで前記車両の走行を制御する。前記定速の速度は、例えば、ゲートの通過で許容されている速度以下で適宜に設定される。例えば、前記ゲートがＥＴＣゲートである場合では、前記定速の速度は、２０ｋｍ／ｈ以下で適宜に設定される。
【００５６】
なお、ゲート区間の前記自動運転において、ゲートが開いた場合やゲートの通過を許可するサイン（例えばゲートがＥＴＣである場合に表示される「ＯＫ」サイン）が発行された場合には、走行制御部４５は、車両を加速するように、前記車両の走行を制御しても良い。これら前記ゲートが開いた場合や、前記サインが発行された場合は、例えば、前方画像を画像処理することによって認識できる。
【００５７】
表示処理部４６は、前記走行領域情報で表される走行領域、前記位置情報で表されるゲート位置のゲート、前記ゲート区間、前記速度制御区間および前記加速禁止区間を、表示部１０に表示するものである。
【００５８】
より具体的には、これらを表示する表示画面６０は、例えば、図５に示すように、カーナビゲーションにかかる情報を表示するナビ情報表示領域６１と、所定のメッセージを表示するメッセージ表示領域６２とを備える。ナビ情報表示領域６１には、表示処理部４６によって、走行領域情報に基づいて、自車両を含む走行方向前方の走行領域ＤＡの平面形状が表示され、自車両の車両位置に応じた走行領域ＤＡ上の位置に、自車両を表す車両アイコンＩＶＣｓが表示され、ゲートの位置情報に応じた走行領域ＤＡ上の位置に、ゲートを表すゲートアイコンＩＧＴが表示され、区間設定部４４で設定された各位置に応じた走行領域ＤＡ上の各位置に、ゲート区間、速度制御区間および加速禁止区間が矢符付きの各線分で表示される。前記アイコンは、物事を比較的簡単な絵柄等で記号化して表現したものであり、絵、記号、図またはこれらの組合せで構成される。表示処理部４６は、公知の処理手法によって、自車両ＶＣｓの移動に応じて表示画面６０のナビ情報表示領域６１に表示される、カーナビゲーションにかかる情報を更新する。メッセージ表示領域６２には、各区間を表示すると、例えば、「この先、各区間で運転を支援します。」等の、メッセージがテキストで表示される。
【００５９】
なお、本実施形態では、地図情報記憶部５１は、車両が走行する走行領域に配設され前記走行領域を区分するゲートのゲート位置を表す位置情報を含む地図情報を格納する地図情報格納部の一例に相当する。撮像部１および制御処理部４の区画線検出処理部４２は、前記走行領域に配置される車線を示す区画線を検出する区画線検出部の一例に相当する。撮像部１および制御処理部４の渋滞検出処理部４３は、前記ゲート位置から前記区画線検出部によって検出された前記区画線が終了する終了位置までの走行領域における渋滞状況を検出する渋滞検出部の一例に相当する。
【００６０】
次に、本実施形態の動作について説明する。図６は、前記運転支援装置の動作を示すフローチャートである。なお、以下の説明において、例えば初期設定等によって、各区間で運転支援する指示が入力部９から予め入力されているものとする。
【００６１】
このような運転支援装置ＤＳは、車両が稼働を始めると、必要な各部の初期化を実行し、その稼働を始める。その制御処理プログラムの実行によって、制御処理部４には、制御部４１、区画線検出処理部４２、渋滞検出処理部４３、区間設定部４４、走行制御部４５および表示処理部４６が機能的に構成される。
【００６２】
図６において、まず、運転支援装置ＤＳは、制御処理部の制御部４１によって、撮像部１から、その生成した前方画像を取得し、位置測定部２から、その測定結果の車両位置を取得し、車速測定部３から、その測定結果の車輪速を取得し、前記車輪速から車輪の大きさに基づいて車速を求めて取得する（Ｓ１）。
【００６３】
次に、運転支援装置ＤＳは、制御処理部４の区間設定部４４によって、付近にゲートが存在するか否かを判定する（Ｓ２）。より具体的には、区間設定部４４は、処理Ｓ１で取得した車両位置に最も近く配置されているゲートのゲート位置を、地図情報記憶部５１に記憶されている位置情報から選定（検索）し、この選定したゲート位置と処理Ｓ１で取得した車両位置とを比較し、処理Ｓ１で取得した車両位置が前記選定したゲート位置から前記所定の距離以内であるか否かを判定する。この判定の結果、前記車両位置が前記ゲート位置から前記所定の距離以内である場合には、運転支援装置ＤＳは、付近にゲートが存在すると判定し（Ｙｅｓ）、次に、処理Ｓ３を実行する。一方、前記判定の結果、前記車両位置が前記ゲート位置から前記所定の距離以内ではない場合には、運転支援装置ＤＳは、付近にゲートが存在しないと判定し（Ｎｏ）、処理を処理Ｓ１に戻す。したがって、自車両の付近にゲートが存在すると判定されるまで、処理Ｓ１および処理Ｓ２が繰り返し実行される。
【００６４】
この処理Ｓ３では、運転支援装置ＤＳは、制御処理部４における区画線検出処理部４２および区間設定部４４によって、区画線の終了を検出したか否かを判定する。より具体的には、まず、区画線検出処理部４２は、処理Ｓ１で取得した前方画像から区画線を検出する。そして、区間設定部４４は、区画線検出処理部４２で検出した区画線が終了しているか否かを判定する。この判定の結果、区画線検出処理部４２で検出した区画線に終端が存在する場合には、区間設定部４４は、前記区画線が終了していると判定し（Ｙｅｓ）、前記区画線終了位置を求め、前記区画線で示された車線の延長方向を車両の走行方向として求め、次に、処理Ｓ４を実行する。例えば、撮像部１の仕様（前記結像光学系の光学特性等）から、前方画像における下端から上端までの各画素ごとに、一画素当たりの実距離が求められるので、前方画像に写り込んでいる区画線の終了位置に対応する画素位置と前記前方画像と共に処理Ｓ１で取得した車両位置とから、前記区画線の終了位置が求められる。一方、前記判定の結果、区画線検出処理部４２で検出した区画線に終端が存在しない場合（例えば、本線の道路から分岐した、ゲートの配置されている走行領域に続く道路ではない前記本線の道路を車両が走行している場合等）には、区間設定部４４は、前記区画線が終了していないと判定し（Ｎｏ）、処理を処理Ｓ１に戻す。
【００６５】
なお、上述では、処理Ｓ２の次に、処理Ｓ３を実行したが、逆に、処理Ｓ３を実行してから処理Ｓ２が実行されても良い。すなわち、ゲートの存在の判定と区画線の終了の判定とは、どちらを先に実行しても良い。
【００６６】
この処理Ｓ４では、運転支援装置ＤＳは、制御処理部４の渋滞検出処理部４３によって渋滞状況を検出する。より具体的には、本実施形態では、渋滞検出処理部４３は、撮像部１で生成された前方画像から、前記ゲートのゲート位置から区画線検出処理部４２によって検出された前記区画線が終了する終了位置までの走行領域における渋滞の有無を検出する。
【００６７】
前記処理Ｓ４に続く処理Ｓ５では、運転支援装置ＤＳは、区間設定部４４によって、処理Ｓ４で検出した渋滞状況が渋滞有りか否かを判定する。この判定の結果、渋滞無しの場合（Ｎｏ）では、区間設定部４４は、次に、処理Ｓ６を実行した後に、処理Ｓ８を実行する。一方、前記判定の結果、渋滞有りの場合（Ｙｅｓ）では、区間設定部４４は、次に、処理Ｓ７を実行した後に、処理Ｓ８を実行する。
【００６８】
前記処理Ｓ６では、区間設定部４４は、区画線で示された車線を車両が走行していた際の走行方向に沿って、ゲート位置から位置測定部２で測定した車両位置に向かって、渋滞無しの場合における上述の設定方法で、ゲート区間、速度制御区間、および、加速禁止区間を走行領域に設定する。この結果、例えば、上述したように、図３に示すように、走行領域ＤＡにおける第２走行区間ＤＡ２に、ゲート区間ＡＲｇｔ、速度制御区間ＡＲｃｓ、および、加速禁止区間ＡＲｎａそれぞれが設定される。そして、これら各区間ＡＲｇｔ、ＡＲｃｓ、ＡＲｎａが表示処理部４６によって表示部１０に表示される。
【００６９】
前記処理Ｓ７では、区間設定部４４は、区画線で示された車線を車両が走行していた際の走行方向に沿って、ゲート位置から位置測定部２で測定した車両位置に向かって、渋滞有りの場合における上述の設定方法で、ゲート区間、速度制御区間、および、加速禁止区間を走行領域に設定する。この結果、例えば、上述したように、図４に示すように、走行領域ＤＡにおける第１および第２走行区間ＤＡ１、ＤＡ２に、ゲート区間ＡＲｇｔ、速度制御区間ＡＲｃｓ、および、加速禁止区間ＡＲｎａそれぞれが設定される。そして、これら各区間ＡＲｇｔ、ＡＲｃｓ、ＡＲｎａが表示処理部４６によって表示部１０に表示される。
【００７０】
前記処理Ｓ６または前記処理Ｓ７に続く処理Ｓ８では、運転支援装置ＤＳは、制御処理部４の走行制御部４５によって、加速禁止区間では第１運転支援で車両の走行を制御する。より具体的には、本実施形態では、走行制御部４５は、位置測定部２で測定した車両位置が加速禁止区間の第３始点位置に到達すると、位置測定部２で測定される車両位置が前記加速禁止区間の第３終点位置（すなわち、速度制御区間の第２始点位置）に到達するまで、運転者による加速の運転操作があっても、車両を加速しないように前記車両の走行を制御する。
【００７１】
前記処理Ｓ８に続く処理Ｓ９では、運転支援装置ＤＳは、走行制御部４５によって、速度制御では第２運転支援で車両の走行を制御する。より具体的には、本実施形態では、走行制御部４５は、位置測定部２で測定した車両位置が速度制御区間の第２始点位置に到達すると、位置測定部２で測定される車両位置が前記速度制御区間の第２終点位置（すなわち、ゲート区間の第１始点位置）に到達するまで、前記車両が前記速度制御区間の第２始点位置を通過する際に、車速測定部３で測定した車速から、前記車両が前記速度制御区間の第２終点位置を通過する際に、ゲート区間での自動運転で用いられる車速まで前記車両の速度を減速するように、動力部６ａ、動力伝達部６ｂおよび制動部７を制御することで前記車両の走行を制御する。この第２運転支援では、運転者の操舵操作が許容される。
【００７２】
前記処理Ｓ９に続く処理Ｓ１０では、運転支援装置ＤＳは、走行制御部４５によって、ゲート区間では自動運転で車両の走行を制御する。より具体的には、本実施形態では、走行制御部４５は、位置測定部２で測定した車両位置がたゲート区間の第１始点位置に到達すると、位置測定部２で測定される車両位置が前記ゲート区間の第１終点位置に到達するまで、車両の操舵をゲート区間の車線に沿って直進となるように、かつ、前記車両の速度を定速となるように、動力部６ａ、動力伝達部６ｂおよび操舵部８を制御することで前記車両の走行を制御する。位置測定部２で測定される車両位置が前記ゲート区間の第１終点位置を通過すると、運転支援装置ＤＳは、前記設定した各区間を解消する。
【００７３】
そして、前記処理Ｓ１０に続く処理Ｓ１１では、運転支援装置ＤＳは、例えばその稼働をオンオフするスイッチの入力操作等によって、その稼働の終了が指示されているか否かを判定する。この判定の結果、前記稼働の終了が指示されている場合（Ｙｅｓ）では、運転支援装置ＤＳは、本処理を終了して稼働を終了し、一方、前記判定の結果、前記稼働の終了が指示されていない場合（Ｎｏ）では、運転支援装置ＤＳは、処理を処理Ｓ１に戻す。なお、これら上述の処理Ｓ１ないし処理Ｓ１０のいずれかの処理を実行している際に、前記稼働をオンオフするスイッチの入力操作があった場合には、割り込みで実行中の処理が終了され、運転支援装置ＤＳは、その稼働を終了しても良い。
【００７４】
以上説明したように、実施形態における運転支援装置ＤＳおよびこれに実装された駐車支援方法は、ゲート含むゲート区間の手前に速度制御区間を設定し、この速度制御区間では、車両の速度を制御することで、運転者の運転操作を支援する。したがって、速度制御区間では運転者の操舵操作が許容され、上記運転支援装置ＤＳおよび運転支援方法は、運転者の操舵意図に合わせて運転操作を支援できる。上記運転支援装置ＤＳおよび運転支援方法は、ゲートに至るまでに、加速禁止区間、速度制御区間およびゲート区間を順次に設定し、加速の禁止、速度の制御および自動運転の順で運転支援の程度を順次に強めて運転操作を支援するので、比較的、交通の錯綜し易いゲート付近を運転者の意図を汲みつつ安全に走行できる。
【００７５】
操舵のし易さは、渋滞状況に応じて変わる。上記運転支援装置ＤＳおよび運転支援方法は、渋滞状況に応じて各区間の長さを変更できるので、操舵操作を許容する速度制御区間の第２長さを渋滞状況に応じて可変できる。したがって、上記運転支援装置ＤＳおよび運転支援方法は、操舵がし易くなるように、渋滞状況に応じて速度制御区間の第２長さを変更できる。
【００７６】
上記運転支援装置ＤＳおよび運転支援方法は、渋滞有りを検出した場合に、渋滞無しの場合における速度制御区間の第２長さに較べて前記速度制御区間の第２長さを長くするので、操舵操作を許容する速度制御区間をより長く確保でき、運転者は、他車の動向を観察しながら余裕を持って操舵できる。したがって、運転者は、比較的、交通の錯綜し易いゲート付近を安全に運転できる。
【００７７】
上記運転支援装置ＤＳおよび運転支援方法は、必要に応じて加速禁止区間を車線に重ねるので、速度制御区間の第２長さが長くなっても、加速禁止区間を確保できる。
【００７８】
上記運転支援装置ＤＳおよび運転支援方法は、走行領域、加速禁止区間、速度制御区間、ゲート区間およびゲートを表示部１０に表示するので、運転者は、走行領域上で、これら加速禁止区間、速度制御区間、ゲート区間およびゲートの各位置を認識できる。
【００７９】
なお、上述の実施形態では、前記地図情報を格納する地図情報格納部の一例として、地図情報記憶部５１が用いられたが、これに限定されるものではなく、前記地図情報格納部は、他の形態であっても良い。例えば、前記地図情報格納部は、例えばＤＶＤ−ＲＯＭやＵＳＢ（Ｕｎｉｖｅｒｓａｌ  Ｓｅｒｉａｌ  Ｂｕｓ）メモリ等の、前記地図情報を記録することで格納する記録媒体と、例えばＤＶＤドライブ装置やＵＳＢインターフェース等の、前記記録媒体から前記地図情報を読み出す読出装置とを備えても良い。また例えば、前記地図情報格納部は、例えば通信カード等の、前記地図情報を管理するサーバ装置からネットワークを介して受信する受信部と、前記受信部で受信した地図情報を記憶することで格納する記憶部とを備えても良い。
【００８０】
また、上述の実施形態では、区画線検出処理部４２は、撮像部１で生成された前方画像から画像処理によって区画線を検出したが、地図情報記憶部５１に記憶されている地図情報に、区画線を表す区画線情報が含まれている場合には、区画線検出処理部４２は、地図情報記憶部５１に記憶されている地図情報における区画線情報から区画線を検出してもよい。
【００８１】
また、上述の実施形態では、渋滞検出処理部４３は、撮像部１で生成された前方画像から、渋滞状況を検出したが、これに限定されるものではなく、他の形態であっても良い。例えば、運転支援装置ＤＳは、図１に破線で示すように、例えば通信カード等の、制御処理部４に接続され、制御処理部４の制御に従って、外部の装置と通信を行う通信部１１をさらに備え、渋滞検出処理部４３は、通信部１１で受信されたデータに基づいて渋滞状況を検出する。
【００８２】
より具体的には、例えば、前記外部の装置は、他車両（他車両に搭載された通信部）であって、自車両の通信部１１は、前記他車両（前記他車両の通信部）と通信することによって前記車両の個数および前記車両それぞれの速度を取得し、渋滞検出処理部４３は、前記取得した車両の個数および各速度に基づいて前記渋滞状況を検出する。車両は、その通信部によって自車両の識別子（車両ＩＤ（例えば製造番号や自動車登録番号等））および自車両の速度を外部に送信する。
【００８３】
また例えば、前記外部の装置は、車両の個数および速度を管理するサーバ装置であり、通信部１１は、前記サーバ装置からネットワークを介して前記車両の個数および前記車両それぞれの速度を取得し、前記取得した車両の個数および各速度に基づいて前記渋滞状況を検出する。車両は、その通信部によって自車両の識別子（車両ＩＤ（例えば製造番号や自動車登録番号等））および自車両の速度を前記ネットワークを介して前記サーバ装置へ送信する。
【００８４】
これら上述の各形態において、例えば、渋滞検出処理部４３は、前記取得した車両の個数と予め設定された閾値（個数判定閾値）とを比較すると共に、前記車両の速度のヒストグラムにおける最頻値を与える速度クラスの速度と予め設定された閾値（速度判定閾値）とを比較し、これら比較の各結果、前記車両の個数が前記個数判定閾値以上であって、前記速度クラスの速度が前記速度判定閾値以下である場合に、前記渋滞状況として渋滞有りと判定し、これらを除く場合には、前記渋滞状況として渋滞無しと判定する。これによれば、ゲートを通過する車両の状況を勘案して渋滞状況が判定できる。
【００８５】
また、上述の実施形態では、前記渋滞状況は、渋滞の有無で表されたが、複数のレベルで表されても良い。例えば、前記個数判定閾値は、互いに異なる複数のサブ個数判定閾値を備え、前記速度判定閾値は、互いに異なる複数のサブ速度判定閾値を備え、前記渋滞検出処理部４３は、これら複数のサブ個数判定閾値および複数のサブ速度判定閾値の組み合わせることによって、互いに異なる複数のレベルで前記渋滞状況を判定する。例えば、前記個数判定閾値は、第１サブ個数判定閾値と前記第１サブ個数閾値より大きい第２サブ個数判定閾値とを備え、前記サブ速度判定閾値は、第１サブ速度判定閾値と前記第１サブ速度判定閾値より小さい第２サブ速度判定閾値とを備え、前記渋滞検出処理部４３は、前記取得した車両の個数が前記第２サブ個数判定閾値以上であって前記車両の速度のヒストグラムにおける最頻値を与える速度クラスの速度が前記第２サブ速度判定閾値以下である場合に、前記渋滞状況として重度の渋滞有りと判定し、前記取得した車両の個数が前記第１サブ個数判定閾値以下であって前記車両の速度のヒストグラムにおける最頻値を与える速度クラスの速度が前記第１サブ速度判定閾値以上である場合に、前記渋滞状況として渋滞無しと判定し、これらを除く場合には、前記渋滞状況として中度の渋滞有りと判定する。そして、区間設定部４４は、渋滞のレベルに応じて速度制御区間の長さを設定する。例えば、区間設定部４４は、前記渋滞状況が中度の渋滞有りである場合には、前記速度制御区間を前記渋滞状況が渋滞無しである場合の長さより長く設定し、前記渋滞状況が重度の渋滞有りである場合には、前記速度制御区間を前記渋滞状況が中度の渋滞有りである場合の長さより長く設定する。これによれば渋滞のレベルに応じてより適切に速度制御区間が設定できる。
【００８６】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【００８７】
ＤＳ  運転支援装置
１  撮像部
２  位置測定部
３  車速測定部
４  制御処理部
５  記憶部
６ａ  動力部
６ｂ  動力伝達部
７  制動部
８  操舵部
９  入力部
１０  出力部
１１  通信部
４１  制御部
４２  区画線検出処理部
４３  渋滞検出処理部
４４  区間設定部
４５  走行制御部
４６  表示処理部
５１  地図情報記憶部
【図１】
2020101957.tif 000003
【図２】
2020101957.tif 000004
【図３】
2020101957.tif 000005
【図４】
2020101957.tif 000006
【図５】
2020101957.tif 000007
【図６】
2020101957.tif 000008